(57)【要約】【課題】  簡素な構成で複数の電力変換回路それぞれの駆動時間（駆動率）の変更を容易に行え、さらに、複数の電力変換回路のうち１つ又は複数が故障している状態で交互に駆動しようとした時にも、出力が停止することなく自動的に正常な側の電力変換回路から安定して出力を供給できる電源回路を提供する点にある。【解決手段】  直流電圧を入力としてＯＮ−ＯＦＦ動作する電力変換用スイッチング素子１９を備えた電力変換回路５の複数を、共通のトランス１の一次側に備え、これら複数の電力変換回路５，６からの電力を負荷２に供給するための二次側直流出力回路３を前記トランス１の二次側に備えさせてなる電源回路において、複数の電力変換回路５，６に、昇圧回路９，１０をそれぞれ設け、複数の昇圧回路９，１０に負荷バランス制御信号を出力するための負荷バランス制御信号発生装置Ｕを接続した。【選択図】        図１
2005229731.tif 000002
【特許請求の範囲】
【請求項１】
直流電圧を入力としてＯＮ−ＯＦＦ動作する電力変換用スイッチング素子を備えた電力変換回路の複数を、共通のトランスの一次側に備え、これら複数の電力変換回路からの電力を負荷に供給するための二次側直流出力回路を前記共通のトランスの二次側に備えさせてなる電源回路において、前記複数の電力変換回路に、昇圧回路をそれぞれ設け、前記複数の昇圧回路に負荷バランス制御の為の優先信号を出力するための負荷バランス制御信号発生装置を接続して、前記各電力変換回路の駆動率を変更するための負荷バランス制御手段を構成したことを特徴とする電源回路。
【請求項２】
前記各昇圧回路が、前記各電力変換回路への入力電流の力率改善を行うために該各電力変換回路に備えさせているアクティブフィルター回路からなり、このアクティブフィルター回路に備えている出力電圧監視回路部に前記負荷バランス制御の為の優先信号を入力することにより該アクティブフィルター回路の出力電圧を変更するように構成してなる請求項１記載の電源回路。
【請求項３】
前記複数の昇圧回路に負荷バランス制御の為の優先信号を入力することにより、該特定の昇圧回路の出力電圧が他の残りの昇圧回路の出力電圧よりも高くなる又は低くなるように構成してなる請求項１又は２記載の電源回路。
【請求項４】
前記負荷バランス制御信号発生装置からの負荷バランス制御の為の優先信号が出力されていない場合に、前記各電力変換回路の入力電源の内部に備えている発振器からのパルス信号を負荷バランス制御信号として利用してなる請求項１〜３のいずれかに記載の電源回路。
【請求項５】
前記複数の電力変換回路のうちの１つの電力変換回路の入力電源を商用交流電源から構成し、前記商用交流電圧を直流電圧に変換するための整流回路を該電力変換回路に備えさせ、前記他の電力変換回路の入力電源を二次電池等の直流電源から構成してなる請求項１〜４のいずれかに記載の電源回路。
【請求項６】
前記電力変換回路のそれぞれに、該電力変換回路の電力変換用スイッチング素子が短絡故障したことを検出するための短絡故障検出回路及び該短絡故障検出回路からの短絡故障電流検出信号が出力されたときに該電力変換回路を遮断するための回路遮断用スイッチング素子を設けてなる請求項１〜５のいずれかに記載の電源回路。
【請求項７】
前記短絡故障検出回路が、前記電力変換回路の電流を検出する電流検出手段からの電流と前記電力変換用スイッチング素子を駆動する駆動信号とを比較し、前記電力変換用スイッチング素子の駆動停止信号が出力されたときに前記電流検出手段からの電流検出信号に基づいて前記回路遮断用スイッチング素子をＯＦＦ動作させるための短絡故障電流検出信号を出力するように構成してなる請求項６記載の電源回路。
【発明の詳細な説明】
【技術分野】
【０００１】
本発明は、直流電圧を入力としてＯＮ−ＯＦＦ動作する電力変換用スイッチング素子を備えた電力変換回路の複数を、共通のトランスの一次側に備え、これら複数の電力変換回路からの電力を負荷に供給するための二次側直流出力回路を前記トランスの二次側に備えさせてなる電源回路に関する。
【背景技術】
【０００２】
上記電源回路において、例えば２つの電力変換回路のうちの一方の電力変換回路を常時駆動し、その電力変換回路からの出力を二次側の駆動回路に出力する場合には、発熱による電力損失を招くことがあるだけでなく、電力変換回路を構成する電解コンデンサ等の寿命部品に悪影響を及ぼすこともある。これを回避するために、２つの電力変換回路を交互に駆動することが行われている。このように構成することによって、２つの電力変換回路から最大供給電力を供給することができるだけでなく、寿命部品の寿命改善も行えるようにしている（例えば、特許文献１参照）。
【特許文献１】特開２００２−８４６８０号公報（図１、図２、図４）
【発明の開示】
【発明が解決しようとする課題】
【０００３】
上記特許文献１のような電源回路では、２つの電力変換回路のスイッチング素子それぞれを駆動するための駆動パルスを切り替えることで、２つの電力変換回路を交互に駆動するようにしているが、２つの電力変換回路のうち、片方の電力変換回路のスイッチング素子が故障していた場合、スイッチング素子の駆動パルスが故障している側の電力変換回路に切り替わる領域において出力が停止してしまう不都合がある。
【０００４】
本発明が前述の状況に鑑み、解決しようとするところは、簡素な構成で複数の電力変換回路それぞれの駆動時間（駆動率）の変更を容易に行え、さらに、複数の電力変換回路のうち１つ又は複数が故障している状態で交互に駆動しようとした時にも、出力が停止することなく自動的に正常な側の電力変換回路から安定して出力を供給できる電源回路を提供する点にある。
【課題を解決するための手段】
【０００５】
本発明は、前述の課題解決のために、直流電圧を入力としてＯＮ−ＯＦＦ動作する電力変換用スイッチング素子を備えた電力変換回路の複数を、共通のトランスの一次側に備え、これら複数の電力変換回路からの電力を負荷に供給するための二次側直流出力回路を前記共通のトランスの二次側に備えさせてなる電源回路において、前記複数の電力変換回路に、昇圧回路をそれぞれ設け、前記複数の昇圧回路に負荷バランス制御の為の優先信号を出力するための負荷バランス制御信号発生装置を接続して、前記各電力変換回路の駆動率を変更するための負荷バランス制御手段を構成したことを特徴としている。
共通のトランスの一次側に備えた複数の電力変換回路のうちの電圧の高い回路から二次側直流出力回路に出力されることから、電力変換回路の電圧を変更するための昇圧回路を設け、それら昇圧回路のそれぞれへ負荷バランス制御信号発生装置からの負荷バランス制御の為の優先信号を出力することによって、各電力変換回路の駆動時間（駆動率）を自由に変更することができる。
【０００６】
前記各昇圧回路が、前記各電力変換回路への入力電流の力率改善を行うために該各電力変換回路に備えさせているアクティブフィルター回路からなり、このアクティブフィルター回路に備えている出力電圧監視回路部に前記負荷バランス制御の為の優先信号を入力することにより該アクティブフィルター回路の出力電圧を変更するように構成してもよい。
【０００７】
前記複数の昇圧回路に負荷バランス制御の為の優先信号を入力することにより、該特定の昇圧回路の出力電圧が他の残りの昇圧回路の出力電圧よりも高くなる又は低くなるように構成してもよい。
【０００８】
前記負荷バランス制御信号発生装置からの負荷バランス制御の為の優先信号が出力されていない場合に、前記各電力変換回路の入力電源の内部に備えている発振器からのパルス信号を負荷バランス制御信号として利用してもよい。
【０００９】
前記複数の電力変換回路のうちの１つの電力変換回路の入力電源を商用交流電源から構成し、前記商用交流電圧を直流電圧に変換するための整流回路を該電力変換回路に備えさせ、前記他の電力変換回路の入力電源を二次電池等の直流電源から構成することによって、停電時であっても、直流電源からの電圧を利用して電力変換回路を駆動させることができる。
【００１０】
前記電力変換回路のそれぞれに、該電力変換回路の電力変換用スイッチング素子が短絡故障したことを検出するための短絡故障検出回路及び該短絡故障検出回路からの短絡故障電流検出信号が出力されたときに該電力変換回路を遮断するための回路遮断用スイッチング素子を設けてもよい。
【００１１】
前記短絡故障検出回路が、前記電力変換回路の電流を検出する電流検出手段からの電流と前記電力変換用スイッチング素子を駆動する駆動信号とを比較し、前記電力変換用スイッチング素子の駆動停止信号が出力されたときに前記電流検出手段からの電流検出信号に基づいて前記回路遮断用スイッチング素子をＯＦＦ動作させるための短絡故障電流検出信号を出力するように構成してもよい。
【発明の効果】
【００１２】
電力変換回路の電圧を変更するための昇圧回路を設け、それら昇圧回路のそれぞれへ負荷バランス制御信号発生装置からの負荷バランス制御の為の優先信号を入力することによって、各電力変換回路の駆動時間（駆動率）を自由に変更することができ、例えば複数の電力変換回路のうちの特定の電力変換回路が集中して駆動されるようなことがなく、発熱による電解コンデンサ等の寿命部品に悪影響を及ぼすことを回避することができるとともに、電力損失による発熱を各電力変換回路に均等に分散させることができるため、二次側の負荷へ各電力変換回路の供給可能な最大電力の合計電力まで供給することができる電源回路を提供することができる。
【００１３】
各昇圧回路が、各電力変換回路への入力電流の力率改善を行うために各電力変換回路に備えさせているアクティブフィルター回路からなり、このアクティブフィルター回路に備えている出力電圧監視回路部に負荷バランス制御の為の優先信号を入力することによりアクティブフィルター回路の出力電圧を変更するように構成することができ、力率改善を行うアクティブフィルター回路を利用して駆動率の変更を実現することができる。
【００１４】
電力変換回路のそれぞれに、電力変換回路の電力変換用スイッチング素子が短絡故障したことを検出するための短絡故障検出回路及び短絡故障検出回路からの短絡故障電流検出信号が出力されたときに電力変換回路を遮断するための回路遮断用スイッチング素子を設けることによって、電力変換回路の電力変換用スイッチング素子が短絡故障すると、これを短絡故障検出手段にて検出し、この短絡故障電流検出信号が出力されると、例えば３μｓ以下で作動する回路遮断用スイッチング素子をＯＦＦ状態にし、電力変換回路を遮断（開放）することができ、ヒューズ（ヒューズの場合には回路遮断までに１ｍ秒程度要する）などを用いて回路を遮断する場合に、トランスに過度の電圧が加わることを回避することができる。
【発明を実施するための最良の形態】
【００１５】
図１に、フォワード型の電源回路を示している。この電源回路は、共通の高周波トランス（低周波トランスでもよい）１の二次側巻線Ｎ２に電気的に絶縁された状態で接続され、かつ、負荷２へ直流電力を供給するための二次側直流出力回路３と、前記共通の高周波トランス１の一次側の第１巻線Ｎ１に電気的に絶縁された状態で接続され、かつ、商用交流電源４の出力により前記共通の高周波トランス１を介して二次側直流出力回路３へ電力供給するための第１の電力変換回路５と、前記共通の高周波トランス１の一次側の第２巻線Ｎ３に電気的に絶縁された状態で接続され、かつ、前記商用交流電源４の出力により前記共通の高周波トランス１を介して二次側直流出力回路３へ電力供給するための第２の電力変換回路６とを備えている。
前記各電力変換回路５，６は、商用交流電源４からの交流電圧を整流して直流電圧に変換するための整流回路７，８及びこの整流回路７，８からの電圧の力率改善を行うと共に電力変換回路の電圧を変更するための昇圧回路として機能するアクティブフィルター回路（力率改善回路）９，１０を備えている。
ここでは、商用交流電源４により２つの電力変換回路５，６を駆動するように構成したものを示しているが、商用交流電源で駆動する電力変換回路とバッテリーなどの二次電池で駆動する電力変換回路とから構成してもよいし、又、３つ以上の電力変換回路を設けて実施することもできる。前記二次電池としては、燃料電池や太陽電池あるいは原子力電池等を用いてもよいし、又、二次電池に代えて発電機等であってもよい。又、前記二次電池を複数の電力変換回路を駆動する場合には、複数の電力変換回路のそれぞれに二次電池を設けて実施する他、複数の電力変換回路に対して共通（単一）の二次電池であってもよい。又、前記のように電源部を商用交流電源にて構成したものと、二次電池等の直流電源にて構成したものをそれぞれ少なくとも１個ずつ備えさせて電源回路を構成しておけば、例えば停電時でも直流電源を利用して二次側直流出力回路３へ電力供給が行える利点がある。又、電源回路としては、図１のようなフォワード型の他、フライバック型、フルブリッジ型、ハーフブリッジ型等であってもよく、どのような形式の電源回路に構成してもよい。
【００１６】
図１に示すように、前記アクティブフィルター回路９，１０内に備えている出力電圧監視回路部（図示せず）のそれぞれに負荷バランス制御信号発生装置Ｕからの負荷バランス制御の為の優先信号を入力することができるように、該出力電圧監視回路部にフォトカプラ１１，１２の出力側を接続し、該フォトカプラ１１，１２の入力側に、外部端子１３，１４を介して前記負荷バランス制御信号発生装置Ｕからの負荷バランス制御の為の優先信号を優先的に流すための優先制御部１５，１６を接続している。そして、前記外部からのパルス信号（負荷バランス制御の為の優先信号）が入力されてない場合には、各電力変換回路５，６の入力電源の内部に備えている発振器（図示せず）からのパルス信号を増幅器１７及び反転増幅器１８を介してアクティブフィルター回路９，１０の出力電圧監視回路部に出力されるように構成している。
【００１７】
前記外部端子１３，１４を介して入力される負荷バランス制御の為の優先信号の波形（図１のａ点及びｂ点での波形）を、図２（ａ），（ｂ）に示し、負荷バランス制御の為の優先信号にて駆動される２つの電力変換回路５，６の合計出力電力を、図２（ｃ）に示している。この場合には、図１の上側に位置する電力変換回路５の駆動時間を、図１の下側に位置する電力変換回路６の駆動時間の約２倍に設定しているが、駆動時間の比率は、どのような値に設定してもよい。又、内部に備えている前記発振器からのパルス信号が、増幅器１７及び反転増幅器１８を介して出力され、図１のａ点及びｂ点での信号波形を、図３（ａ），（ｂ）に示し、これらパルス信号にて駆動される２つの電力変換回路５，６の合計出力電力を、図３（ｃ）に示している。この場合には、図１の上側に位置する電力変換回路５の駆動時間と、図１の下側に位置する電力変換回路６の駆動時間とが等しい値になっている。このように２つの電力変換回路５，６の駆動率を５０：５０にする場合が、発熱による不具合を最も良好に回避することができる利点があるが、異なる駆動率であってもよい。
前記負荷バランス制御の為の優先信号又はパルス信号によって設定された駆動時間、昇圧回路の出力電圧を他の残りの昇圧回路の出力電圧よりも高く設定し、共通トランスを介して電圧が高い電力変換回路から二次側の直流出力回路３へ電力を供給することができるように構成しているが、昇圧回路の出力電圧を他の残りの昇圧回路の出力電圧よりも低く設定し、共通トランスを介して電圧が高い電力変換回路から二次側の直流出力回路３へ電力を供給することができるように構成してもよい。
【００１８】
図４に示すように構成してもよい。つまり、前記２つの電力変換回路５，６は、メイン制御ＩＣ２１からの制御信号がドライブトランス２２を介して入力されるゲート回路２３，２４及び該ゲート回路２３，２４からのゲート信号により作動され、かつ、高周波トランス１の一次側巻線Ｎ１に接続されるスイッチング素子としての前記ＦＥＴ１９，２０と、後述する短絡故障検出回路５４，５５からの出力信号（短絡故障電流検出信号）がフォトカプラ２５，２６を介して入力されるゲート回路２７，２８及び該ゲート回路２７，２８からのゲート信号により作動され、かつ、電力変換回路５，６に流れる電流を検出する電流検出手段としてのカレントトランス（ホール素子等の他の電流検出素子で構成してもよい）２９，３０の一次側巻線Ｋ１，Ｈ１に接続される後述の回路遮断用スイッチング素子としてのＦＥＴ３１，３２とを備えている。
【００１９】
前記カレントトランス２９，３０の二次側巻線Ｋ２，Ｈ２に、検波回路３３，３４を接続している。又、前記検波回路３３，３４からの検波出力と前記メイン制御ＩＣ２１から反転回路４５を介して反転された状態で入力される制御信号とが入力されて両信号を比較するためのアンド回路４６，４７と、アンド回路４６，４７からの出力信号が反転回路４８，４９を介して入力され、かつ、該出力信号がＬｏｗ信号（Ｈｉｇｈ信号であってもよい）である場合にＦＥＴ１９，２０が短絡故障であると判断し、このＬｏｗ信号を保持するラッチ回路５０，５１と、ラッチ回路５０，５１からのＬｏｗ信号により設定された設定時間をカウントしてから該ラッチ回路５０，５１に保持解除信号５２Ａ，５３Ａを出力するためのタイマ回路５２，５３とを設けて、短絡故障検出回路５４，５５を構成している。尚、前記反転回路４５を、前記メイン制御ＩＣ２１からの出力信号を反転させるように配置したが、前記検波回路３３，３４からの出力信号を反転させるように配置し、アンド回路４６，４７をノア（ＮＯＲ）回路に置き換えて実施することもできる。又、前記反転回路４８，４９は、ラッチ回路５０，５１の手前に配置したが、タイマ回路５２，５３からの出力信号を受ける位置に配置して実施することもできる。
【００２０】
前記短絡故障検出回路５４，５５からの出力信号（短絡故障電流検出信号）に基づいて短絡故障した電力変換用スイッチング素子側の電力変換回路（図４では下側の回路）６を開放状態にする動作を図４及び図５に基づいて説明する。
まず、メイン制御ＩＣ２１から電力変換用スイッチング素子１９，２０に図５（ａ）に示すように所定幅を有する駆動信号（ＯＮ信号）と所定幅（図ではＯＮ信号の幅よりも大きくなっているが、二次側に出力する電力に応じてＯＮ信号及びＯＦＦ信号の幅を設定することになる）を有する駆動停止信号（ＯＦＦ信号）が出力され、例えば図５において第２番目のＯＮ信号からＯＦＦ信号に切り替わるときに電力変換用スイッチング素子２０が短絡故障になると、図５（ｃ）に示すように検波回路３４からの電流検出信号がＨｉｇｈ信号を維持する。このとき、検波回路３４からのＨｉｇｈ信号とメイン制御ＩＣ２１からのＬｏｗ信号（図５（ｂ）参照）が反転回路４５を介して反転されたＨｉｇｈ信号とがアンド回路４７に入力され、アンド回路４７からＨｉｇｈ信号が出力される（図５（ｄ）参照）。このＨｉｇｈ信号が反転回路４９を介してＬｏｗ信号となり、このＬｏｗ信号がラッチ回路５１にて保持された状態で設定時間Ｓ（時間は自由に設定することができるが、例えば１００μ秒から１００ｍ秒の間に設定することになる）経過した後、タイマ回路５３から解除信号５３Ａがラッチ回路５１へ出力されて解除される（図５（ｅ）参照）。この解除信号が出力されたときに、電力変換用スイッチング素子２０が短絡故障ではなく、外来ノイズ等により誤検出されていた場合には、回路遮断用スイッチング素子３２をＯＮ状態に復帰させることができるようになっている（図５（ｅ）参照）が、電力変換用スイッチング素子２０が短絡故障である場合には、再びアンド回路４７からＨｉｇｈ信号が出力され、反転回路４９を介してＬｏｗ信号がラッチ回路５１にて保持された状態となる。尚、電力変換用スイッチング素子２０が正常動作（ＯＮ−ＯＦＦを繰り返し動作）している間は、アンド回路４６，４７からＬｏｗ信号が出力され、反転回路４８，４９にてＨｉｇｈ信号に反転されてゲート回路２７，２８にＦＥＴ３１，３２駆動用信号が出力されるようになっている。
【００２１】
前記電源回路は、図６（ａ），（ｂ）〜図９に示すように、メンテナンス面において有利となるように抜き差しによって接続状態と接続解除状態にすることができる複数のユニットからなっており、それらユニット構造について説明する。
まず、図６（ａ），（ｂ）に示すように、全てのユニットが収納されるケーシング３５Ｋ内の奥側に備えさせた第１出力ユニット３５（前記二次側直流出力回路３を備えている、図６参照）に対して抜き差し自在に構成された第１入力ユニット３６（電力変換回路５を備えている）を該ケーシング３５Ｋ内の手前側に配置している。又、図に示す３７は、前記第１入力ユニット３６に並列させてケーシング３５Ｋ内に配置した第２入力ユニットであり、この第２入力ユニット３７は、前記第１出力ユニット３５とは異なる第２出力ユニット（図示せず）に対して抜き差し自在に構成されている。ここでは、入力ユニットと出力ユニットとが同数、つまり複数対（図では二対の場合を示しているが、三対以上であってもよい）設けている場合を示しているが、入力ユニットの数に対して出力ユニットの数が少ない場合であってもよいし、又その逆であってもよい。前記ケーシング３５Ｋは、ＥＲＰ−２Ｕ（インテル提唱のＳＳＩサーバ仕様に記述された外形形状）サイズに設定しているが、このサイズに限定されるものではない。又、前記２つのユニット３６，３７を上下方向に併設される状態で配置しているが、左右方向に併設される状態で配置してもよく、ユニット３６，３７の配置は自由に変更可能である。
【００２２】
前記第１入力ユニット３６は、外部電源から抜き差し自在なプラグ付コード３８を介して外部に備えている電源部（図示せず）と接続され、スイッチ３９をＯＮすることにより、回路内に電源部から電力が供給されるようになっている。又、第１入力ユニット３６に、ユニット引出用の取っ手４０を備えさせて、取っ手４０を持って手前側に第１入力ユニット３６を引き出すことができるように構成している。そして、前記第１入力ユニット３６を引き出す場合には、前記スイッチ３９がＯＦＦ状態になっていないと、引き出すことができないようにロック機構を備えている。前記ロック機構は、第１入力ユニット３６の角筒状のケーシング３６Ｂを構成する１つの側板部にユニットの前方側へ突出した後、ユニットの前面側へ延びるＬ字状の可動片３６Ｃに、前記ケーシング３５Ｋに形成した開口３５Ａに係止する突起３６Ｔを備えさせている。従って、第１入力ユニット３６をケーシング３５Ｋ内に挿入し、その挿入が完了した時点でケーシング３５Ｋの開口３５Ａに可動片３６Ｃの突起３６Ｔが係止することで、取っ手４０を持って第１入力ユニット３６を引き出すことができないロック状態になるように構成している。このロック状態において可動片３６Ｃをそれの先端部を持ってユニット側へ揺動操作することによって、突起３６Ｔを開口３５Ａから離脱させることで前記ロック状態を解除することができるようになっている。このとき、スイッチ３９がＯＮ状態にあると、図３（ｂ）及び図５（ｂ）に示すように、スイッチ３９の横側部に接当してしまい、可動片３６Ｃをユニット側へ揺動操作することができないようになっている。つまり、第１入力ユニット３６への電力供給が絶たれた状態でないと、第１入力ユニット３６を抜くことができないようになっている。例えば電源供給が行われている状態で第１入力ユニット３６を抜くことができる構成では、抜いた第１入力ユニット３６が活電状態となっており、第１入力ユニット３６の出力ユニット側に剥き出し状態となっている接続用コネクター（図示せず）に誤って手等が触れてしまい、火傷や電子機器の短絡によるトラブルなどが発生することになるが、上記のように電力供給が断たれた状態にすることで該トラブル発生を確実に回避することができる。
尚、前記第２入力ユニット３７も前記第１入力ユニット３６と同様な構成であり、外部電源から抜き差し自在なプラグ付コード３８を介して外部に備えている電源部（図示せず）と接続され、スイッチ３９ＢをＯＮすることにより、回路内に電源部から電力が供給されるようになっている。又、第２入力ユニット３７に、ユニット引出用の取っ手４０Ｂを備えさせて、取っ手４０Ｂを持って手前側に第２入力ユニット３７を引き出すことができるように構成している。そして、前記第２入力ユニット３７を引き出す場合には、前記スイッチ３９ＢがＯＦＦ状態になっていないと、引き出すことができないようにロック機構を備えている。前記ロック機構は、第２入力ユニット３７の角筒状のケーシングを構成する１つの側板部にユニットの前方側へ突出した後、ユニットの前面側へ延びるＬ字状の可動片３７Ｃに、前記ケーシング３５Ｋに形成した開口３５Ｂに係止する突起３７Ｔを備えさせている。
【００２３】
前記第１出力ユニット３５及び第１入力ユニット３６の抜き差し構造を、図９に示している。図９では、各ユニット３５，３６の基板３５ａ，３６ａとそれら基板３５ａ，３６ａの端部同士に備えさせた雄雌の４個のコネクター４１，４２、４３，４４のみを示している。
図９に示すように、一方の基板３５ａの端部の幅方向ほぼ中央部（どの位置であってもよい）に、他方の基板側に突出する突出片３５Ｔを形成し、他方の基板３６ａの端部の前記突出片３５Ｔに対応する位置に該突出片３５Ｔが入り込んで位置決めするための切欠き部３６Ｋを形成し、この切欠き部３６Ｋの上下（基板の板厚方向両側）の開口を閉じるための一対の閉塞用板部材３６Ｈ，３６Ｈを前記基板３６ａに取り付けている。そして、前記突出片３５Ｔの挿入方向先端を先端側ほど幅狭となるように、該突出片３５Ｔの幅方向両側に先端側ほど幅方向中心側に位置する案内用のテーパ部３５Ｔ，３５Ｔを備えさせてあり、切欠き部３６Ｋが突出片３５Ｔに入り込むときに両者の位置が多少ずれている場合でも、テーパ部３５Ｔ，３５Ｔの案内作用により突出片３５Ｔに対する切欠き部３６Ｋの位置を移動修正することによって、雌型のコネクター４２，４４の嵌合凹部４２Ａ，４４Ａを雄型のコネクター４１，４３のピン４１Ｐ，４３Ｐに確実に嵌合させることができるようになっている。
【００２４】
前記一方の雌型のコネクター４２には、図示していない制御回路が接続され、前記他方の雌型のコネクター４４には、メイン回路（前記電力変換回路５）が接続されており、これらコネクター４２，４４に対して嵌合されて接続状態となる前記雄型のコネクター４１，４３の接続の順番を設定する必要がある。そのため、ピンの長さの異なる雄型のコネクターを用いることが一般的であるが、この場合、コスト面において不利になることがあり、図６に示すように、ピンの長さが同一の雄型のコネクター４１，４３を用いながらも、一方のコネクター４３を基板３５ａの端部から設定距離Ｌだけ抜き差し方向において他方の基板３６ａから離れる側へ位置させるだけで、制御回路側が先に接続されてから、メイン回路が後に接続されるように構成しているが、メイン回路側が先に接続されてから、制御回路が後に接続されるように構成してもよい。このように２つの回路、つまりメイン回路及び制御回路の接続のタイミングを異ならせるように制御することによって、前記スイッチ３９又は３９ＢがＯＮの状態である活電状態であっても、入力ユニット３６又は３７を出力ユニット３５から抜いてから、新たな入力ユニット３６又は３７又は修理した入力ユニット３６又は３７を出力ユニット３５に差し込んで入力ユニット３６又は３７の交換を行うときに、接続部（図６では、コネクター４２，４４の嵌合凹部４２Ａ，４４Ａとコネクター４１，４３のピン４１Ｐ，４３Ｐに相当する）にアークが発生し、その接続部が溶着したり、ユニットを構成する各種の素子が破損することなどのトラブル発生を回避することができる。
【図面の簡単な説明】
【００２５】
【図１】電源回路図である。
【図２】（ａ），（ｂ）は図１のａ点及びｂ点におけるパルス波形図、（ｃ）は合計出力電力波形である。
【図３】（ａ），（ｂ）は図１のａ点及びｂ点における別のパルス波形図、（ｃ）は合計出力電力波形である。
【図４】別の電源回路図である。
【図５】図４のａ点からｅ点における電流波形図である。
【図６】電源回路を収納したケーシングを示す斜視図であり、（ａ）はスイッチをＯＦＦにした状態を示し、（ｂ）はスイッチをＯＮにした状態を示している。
【図７】ケーシングに対して第１入力ユニットを引き出した状態を示す斜視図である。
【図８】（ａ）はスイッチをＯＦＦ状態にしたケーシングの要部を示す左側面図、（ｂ）はスイッチをＯＮにした状態にしたケーシングの要部を示す左側面図である。
【図９】第１入力ユニットと第１出力ユニットとを接続する直前の状態を示す斜視図である。
【符号の説明】
【００２６】
１  高周波トランス
２  負荷
３  二次側直流出力回路
４  商用交流電源
５，６  電力変換回路
７，８  整流回路
９，１０  アクティブフィルター回路
１１，１２  フォトカプラ
１３，１４  外部端子
１５，１６  優先制御部
１７  増幅器
１８  反転増幅器
１９，２０  電力変換用スイッチング素子
２１  メイン制御ＩＣ
２２  ドライブトランス
２３，２４  ゲート回路
２５，２６  フォトカプラ
２７，２８  ゲート回路
２９，３０  カレントトランス
３１，３２  回路遮断用スイッチング素子
３３，３４  検波回路
３５Ｋ  ケーシング
３５Ｔ，３５Ｔ  テーパ部
３５，３６  ユニット
３５ａ，３６ａ  基板
３５Ｔ，３６Ｔ  突出片
３５Ａ３５Ｂ  開口
３６Ｂ  ケーシング
３６Ｃ  可動片
３６Ｔ  突起
３６Ｋ  切欠き部
３６Ｈ  閉塞用板部材
３７  入力ユニット
３７Ｃ  可動片
３７Ｔ  突起
３８  プラグ付コード
３９，３９Ｂ  スイッチ
４０，４０Ｂ  取っ手
４１，４２，４３，４４  コネクター
４１Ｐ，４３Ｐ  ピン
４２Ａ，４４Ａ  嵌合凹部
４５  反転回路
４６，４７  アンド回路
４８，４９  反転回路
５０，５１  ラッチ回路
５２，５３  タイマ回路
５２Ａ，５３Ａ  保持解除信号
５４，５５  短絡故障検出回路
Ｋ１，Ｈ１  一次側巻線
Ｋ２，Ｈ２  二次側巻線
Ｌ  設定距離
Ｎ１，Ｎ３  一次側巻線
Ｎ２  二次側巻線
Ｓ  設定時間
Ｕ  負荷バランス制御信号発生装置
【図１】
2005229731.tif 000003
【図２】
2005229731.tif 000004
【図３】
2005229731.tif 000005
【図４】
2005229731.tif 000006
【図５】
2005229731.tif 000007
【図６】
2005229731.tif 000008
【図７】
2005229731.tif 000009
【図８】
2005229731.tif 000010
【図９】
2005229731.tif 000011